【事件の表示】
　特許第３０９５２４３号「治療用椅子」の請求項１ないし３に係る特許に対する特許異議の申立てについて、次のとおり決定する。
【結　論】
　訂正を認める。
　特許第３０９５２４３号の請求項１ないし３に係る特許を維持する。
【理　由】
〔１〕手続の経緯
　本件特許３０９５２４３号（以下「本件」という。）は、平成２年１１月２８日に出願されたものであって、平成１２年８月４日に設定登録がされ、同年１０月３日に特許公報に掲載され、これに対して、特許異議申立人西尾努より、平成１３年４月３日付けで本件の請求項１乃至請求項３（全請求項）に係る発明の特許に対して特許異議の申立てがされ、その後、当審の取消理由通知に対して、平成１３年１２月２８日付け訂正請求書により訂正請求がされたものである。
〔２〕訂正事項と訂正の適否についての判断
１．本件訂正請求は、(１)特許請求の範囲の請求項１〜３中の、ア）「上下動ないし回動」を「上下動および回動」に、イ）「上下動させる」を「回動させる」に、ウ）「上下動速度」を「回動速度」に、エ）「入力させる」を「入力される」に、それぞれ訂正するとともに、(２)発明の詳細な説明の記載中のそれらに対応する記載を同様に訂正するものである。
　
２．そこで、訂正事項について検討すると、各訂正事項は、明白な誤記及び不明りょうな記載を訂正し、明りょうにしたものであるから、これらの訂正は、特許法第１２０条の４第２項ただし書第２号及び同第３号にいう誤記の訂正及び明りょうでない記載の釈明に該当し、また、本件訂正事項は、全体として願書に最初に添付した明細書及び図面の範囲においてされたものであると認められるので、同条第３項で準用する第１２６条第２項及び第３項の規定にも適合する。
  したがって、本件訂正はこれを認める。
　
〔３〕特許異議申立てについての判断
１．本件請求項１乃至請求項３に係る発明は、訂正された明細書及び図面の記載からみて、その特許請求の範囲の請求項１乃至請求項３に記載された以下のものにある。
「請求項１
　台座部、背凭れ部、脚部が初期状態から治療状態にかけて上下動および回動する治療用椅子であって、少なくとも背凭れ部を回動させる駆動源の駆動速度を速度検出器で検出すると共に、前記背凭れ部の回動速度を設定する速度設定器と該速度設定器により設定された背凭れ部の回動速度を記憶する速度記憶部とにより、前記駆動源の駆動速度を速度制御部で制御して、背凭れ部の起き回動速度を通常の回動速度より速くすることを特徴とする治療用椅子。
　請求項２
　台座部、背凭れ部、脚部が初期状態から治療状態にかけて上下動および回動する治療用椅子であって、前記各部を上下動および回動させる駆動源の駆動速度を検出する速度検出器と、前記駆動源の駆動速度を制御する速度制御部と、前記各部の上下動および回動速度を設定する速度設定器と、該速度設定器により設定された各部の上下動および回動速度を記憶する速度記憶部とを備え、前記速度検出器からの検出速度信号が入力される、前記速度制御部に、速度記憶部を介して速度設定器による各部の設定速度信号を入力させる際、少なくとも背凭れ部にあっては、前記速度設定器で、起き回動速度を通常の回動速度より速く設定したことを特徴とする治療用椅子。
　請求項３
　台座部、背凭れ部、脚部が初期状態から治療状態にかけて上下動および回動する治療用椅子であって、前記各部を上下動および回動させる駆動源の駆動速度を検出する速度検出器と、前記駆動源の駆動速度を制御する速度制御部と、前記各部の上下動および回動速度を設定する速度設定器と、該速度設定器により設定された各部の上下動および回動速度を記憶する速度記憶部と、各部の上下動および回動の初期または終期において速度を下降させるスロースタート、スローダウン設定器と、該スロースタート、スローダウン設定器により設定された各部のスロースタート速度およびスローダウン速度を記憶するスロースタート、スローダウン記憶部と、該スロースタート、スローダウン記憶部の設定信号が入力されるスロースタート、スローダウン制御部とを備え、前記速度検出器からの検出速度信号が入力される、前記速度制御部に、速度記憶部を介して速度設定器による各部の設定速度信号を入力させると共に、前記スロースタート、スローダウン制御部およびスロースタート、スローダウン記憶部を介して前記スロースタート、スローダウン設定器による各部のスロースタート速度およびスローダウン速度を入力させる際、少なくとも背凭れ部にあっては、前記速度設定器で、起き回動速度を通常の回動速度より速く設定し、かつ起き回動速度および寝回動速度の初期または終期において速度を下降させるスロースタート速度およびスローダウン速度を設定したことを特徴とする治療用椅子。」
　
２．これに対して、異議申立ての理由は、
「本件特許の請求項１に係る発明は、甲第１、２号証に記載された技術的事項から当業者が見れば、きわめて容易に推考されるもので、当該発明に係る特許は、特許法第２９条第２項の規定に違反してされたものである。よって、特許法第１１３条第１項第２号の規定により、取り消しされるべきものである。
　また、本件特許の請求項１の記載は、特許を受けようとする発明の構成に欠くことができない事項のみを記載した項に区分してあるとはいえず、特許法第３６条第４項第２号（昭和６４年施行法）の規定に違反するものである。よって、特許法第１１３条第１項第４号の規定により、取り消しされるべきものである。
　本件特許の請求項２に係る発明は、甲第１、２号証に記載された技術的事項から当業者が見れば、きわめて容易に推考されるもので、当該発明に係る特許は、特許法第２９条第２項の規定に違反してされたものである。よって、特許法第１１３条第１項第２号の規定により、取り消しされるべきものである。
　また、本件特許の請求項２の記載は、特許を受けようとする発明の構成に欠くことができない事項のみを記載した項に区分してあるとはいえず、特許法第３６条第４項第２号（昭和６４年施行法）の規定に違反するものである。よって、特許法第１１３条第１項第４号の規定により、取り消しされるべきものである。　　本件特許の請求項３に係る発明は、甲第１、２、３号証に記載された技術的事項から当業者が見れば、きわめて容易に推考されるもので、当該発明に係る特許は、特許法第２９条第２項の規定に違反してされたものである。よって、特許法第１１３条第１項第２号の規定により、取り消しされるべきものである。
　また、本件特許の請求項３の記載は、特許を受けようとする発明の構成に欠くことができない事項のみを記載した項に区分してあるとはいえず、特許法第３６条第４項第２号（昭和６４年施行法）の規定に違反するものである。よって、特許法第１１３条第１項第４号の規定により、取り消しされるべきものである。」
というにある。
（証拠方法）
甲第１号証：特公昭６０−４９４８７号公報
甲第２号証：実開昭６３−１４８２４２号公報（全文マイクロフィルム）
甲第３号証：特開昭６２−１４４６３９号公報
　
３．そこで、これらの理由について検討する。
(１)甲号各証についてみてみると、甲第１号証には、プリセット式椅子に関して第１〜４図とともに記載されており、異議申立人のいう、プリセット式椅子であって、腰掛け部１、背モタレ部２、脚乗せ部３がプリセットされた所定の位置に移動し、駆動装置５６、位置検出装置３０ａ、制御部５５、指令部５３、記億装置５２を備えたものが記載されている。
　また、甲第２号証には、車両用座席等のリクライニング装置に関して第１〜５図とともに記載されており、異議申立人のいう、リクライニング装置を備えた車両用座席であって、シートバックの傾動を高速としたもの、また、ニュートラル範囲Ｎ１〜Ｎ２及びフルリクライニング範囲Ｒ／Ｍ〜Ｒにおけるシートバックの傾動が低速で行われるものが記載されており、それによる効果として、シートバックの着座位置からの安楽姿勢位置への移動を迅速に行うことができることが示されているものと認められる。
　甲第３号証には、寝台装置に関して第１〜４図とともに記載されており、異議申立人のいう、昇降する寝台装置であって、最下部の下降速度を徐々に低速とするものが記載されており、それによる効果として、被験者に与えるショックを少なくし、かつ円滑で迅速な下降動作を得ることができることが示されているものと認められる。
(２)甲第１号証に記載された「プリセット式椅子」は、各部の姿勢位置の再現、記憶の消去および再記憶を自由に行えるようにすることを目的とするものであって、指令部53からの指令信号によって所望の姿勢位置を記憶装置52に記憶させる一方、記憶装置52と位置検出装置30ａ、30ｂの出力信号が一致するように駆動部56を制御装置55によって制御することにより、記憶時の姿勢を再現するようにしたものであって、本件発明の、「背凭れ部を回動させる駆動源の駆動速度を検出する速度検出器、同部の回動速度を設定する速度設定器および同部の回動速度を記憶する速度記憶部」、「駆動源の駆動速度を制御する速度制御部」を具備するものではない。本件請求項１及び請求項２に係る発明とは、目的及び構成において相違する。
　次に、甲第２号証に記載された「車両用座席等のリクライニング装置」は、シートバックの傾斜調整を自動的に行うリクライニング装置において、シートバックの傾斜速度を所用の範囲内で変化させるようにすることを目的とするものであり（明細書第４頁第９行〜１３行参照）、本件発明の「背凭れ部を回動させる駆動源の駆動速度を検出する速度検出器」、「背凭れ部の回動速度を記憶する速度記憶部」、「背焦れ部の回動速度を制御する速度制御部」を具備するものではない。本件請求項１及び請求項２に係る発明とは、目的及び構成において相違する。
　そして、本件請求項１及び請求項２に係る発明は、上記構成と請求項に記載された他の構成が相俟って明細書記載の効果を奏するものであると認められる。
　そうすると、本件請求項１及び請求項２に係る発明が甲第１号証及び甲第２号証に記載された発明に基づいて当業者が容易に発明をすることができたとすることはできない。
　
(３)甲第３号証に記載された「寝台装置」は、「放射線断層撮影等に使用される寝台装置において、上枠が下降する際、上方では遅く、下方では速いという下降速度現象をなくして被検者に与えるショックをより少なくし、かつより迅速な下降動作を得ることのできる寝台装置を提供すること」を目的とするものであり（第２頁左上欄第４行〜７行参照）、本件請求項３に係る発明の、「起き回動速度および寝回動速度の初期または終期において速度を下降させるスロースタート速度およびスローダウン速度を設定した」という構成を具備するものではない。本件請求項３に係る発明とは、目的及び構成において相違する。
　そして、本件請求項３に係る発明は、上記構成と請求項に記載された他の構成が相俟って明細書記載の効果を奏するものであると認められる。
　そうすると、本件請求項３に係る発明が甲第１号証〜甲第３号証に記載された発明に基づいて当業者が容易に発明をすることができたとすることはできない。
　
(４)また、請求項１〜３の各記載は、平成１３年１２月２８日付け訂正請求によって訂正されており、その結果、もはや、特許法第３６条第４項第２号の規定に違反するものとはいえない。
　
〔４〕まとめ
　以上によれば、特許異議申立人の主張する申立ての理由及び提出した証拠方法によっては、本件特許を取り消すことはできない。
　よって、結論のとおり決定する。
【異議決定日】
平成１４年１月１１日（２００２．１．１１）
【訂正の要旨】
本件訂正請求は、（１）特許請求の範囲の請求項１〜３中の、ア）「上下動ないし回動」を「上下動および回動」に、イ）「上下動させる」を「回動させる」に、ウ）「上下動速度」を「回動速度」に、エ）「入力させる」を「入力される」に、それぞれ訂正するとともに、（２）発明の詳細な説明の記載中のそれらに対応する記載を同様に訂正するものである。
（５４）【発明の名称】
治療用椅子
（５７）【特許請求の範囲】
（１）台座部、背凭れ部、脚部が初期状態から治療状態にかけて上下動ないし回動する治療用椅子であって、少なくとも背凭れ部
を上下動させる駆動源の駆動速度を速度検出器で検出すると共に、前記背凭れ部の上下動速度を設定する速度設定器と該速度設定器により設定された背凭れ部の上下動速度を記憶する速度記憶部とにより、前記駆動源の駆動速度を速度制御部で制御して、背凭れ部の起き回動速度を通常の回動速度より速くする
（２）台座部、背凭れ部、脚部が初期状態から治療状態にかけて上下動ないし回動する治療用椅子であって、前記各部を上下動ないし回動させる駆動源の駆動速度を検出する速度検出器と、前記駆動源の駆動速度を制御する速度制御部と、前記各部の上下動ないし回動速度を設定する速度設定器と、該速度設定器により設定された各部の上下動ないし回動速度を記憶する速度記憶部とを備え、前記速度検出器からの検出速度信号が入力させる、前記速度制御部に、速度記憶部を介して速度設定器による各部の設定速度信号を入力させる際、少なくとも背凭れ部にあっては、前記速度設定器で、起き回動速度を通常の回動速度より速く設定したことを特徴とする治療用椅子。
（３）台座部、背凭れ部、脚部が初期状態から治療状態にかけて上下動ないし回動する治療用椅子であって、前記各部を上下動ないし回動させる駆動源の駆動速度を検出する速度検出器と、前記駆動源の駆動速度を制御する速度制御部と、前記各部の上下動ないし回動速度を設定する速度設定器と、該速度設定器により設定された各部の上下動ないし回動速度を記憶する速度記憶部と、各部の上下動ないし回動の初期または終期において速度を下降させるスロースタート、スローダウン設定器と、該スロースタート、スローダウン設定器により設定された各部のスロースタート速度およびスローダウン速度を記憶するスロースタート、スローダウン記憶部と、該スロースタート、スローダウン記憶部の設定信号が入力されるスロースタート、スローダウン制御部とを備え、前記速度検出器からの検出速度信号が入力させる、前記速度制御部に、速度記憶部を介して速度設定器による各部の設定速度信号を入力させると共に、前記スロースタート、スローダウン制御部およびスロースタート、スローダウン記憶部を介して前記スロースタート、スローダウン設定器による各部のスロースタート速度およびスローダウン速度を入力させる際、少なくとも背凭れ部にあっては、前記速度設定器で、起き回動速度を通常の回動速度より速く設定し、かつ起き回動速度および寝回動速度の初期または終期において速度を下降させるスロースタート速度およびスローダウン速度を設定したことを特徴とする治療用椅子。
【発明の詳細な説明】
　【産業上の利用分野】
　本発明は、歯科治療などに用いられる治療用椅子の改良に関するものである。
　【従来の技術】
　従来、この種の治療用椅子には、電動などにより、台座部、背凭れ部、脚部が初期状態（例えば患者が着座できる状態）から治療状態にかけて上下動ないし回動（首振り動作）するようになっている。
　これらの上下動ないし回動によって、患者は最も着座し易い状態から椅子に載り、術者（医師など）は患者を寝かせるなどして最も治療し易い状態にする。
　【発明が解決しようとする課題】
　ところが、従来の上記治療用椅子の使用状況を見ていると、次のような改善すべき余地が見られた。
　例えば、歯科治療の場合、治療中に患者は、しばしばうがいをしたり、痰を吐くことがあるが、このとき、術者などが背凭れ部を起こしても、その起き上がりスピードが遅いと、患者は待ちきれず、自分で起き上がろうとすることがよくある。若い患者にあっては自力での起き上がりも可能であろうが、老人などにあっては、無理で、迅速なスピードでの背凭れ部の起き上がりが望まれている。また、痰が喉に絡んだときなどにあっては、是非とも迅速な起き上がりが必要で、ゆっくりした起き上がりでは、その間に患者が咳込んだり、大変な苦痛を与えることがある。
　かと言って、背凭れ部の寝回動（倒れるときの動き）も、上記迅速な起き回動と同等の速さにしたのでは、患者に驚きと不安感を与えることになり、好ましくない。このように回動速度に高速、低速などの変化を持たせる場合には、初期（スタート時）や終期（ダウン時）により一層低速にすると、患者に安心感を与えることができる。
　上記背凭れ部と似たような問題は、台座部においてもある。例えば、治療の終了を了知した患者にあっては、台座部の下降速度が遅いと、台座部が所定の下降位置に達する前に椅子から離れることが多い。この場合、通常は大した弊害もないが、患者は高い位置から滑り降りる形で着地（着床）するため、危険なこともあり、特に、子供や老人にあっては、危険なことが多い。
　本発明は、このような従来の実情に鑑みてなされたものである。
　【課題を解決するための手段】
　本発明の一つは、台座部、背凭れ部、脚部が初期状態から治療状態にかけて上下動ないし回動する治療用椅子であって、少なくとも背凭れ部
を上下動させる駆動源の駆動速度を速度検出器で検出すると共に、前記背凭れ部の上下動速度を設定する速度設定器と該速度設定器により設定された背凭れ部の上下動速度を記憶する速度記憶部とにより、前記駆動源の駆動速度を速度制御部で制御して、背凭れ部の起き回動速度を通常の回動速度より速くする
　本発明のもう一つは、台座部、背凭れ部、脚部が初期状態から治療状態にかけて上下動ないし回動する治療用椅子であって、前記各部を上下動ないし回動させる駆動源の駆動速度を検出する速度検出器と、前記駆動源の駆動速度を制御する速度制御部と、前記各部の上下動ないし回動速度を設定する速度設定器と、該設定器により設定された各部の上下動ないし回動速度を記憶する速度記憶部とを備え、前記速度検出器からの検出速度信号が入力させる、前記速度制御部に、速度記憶部を介して速度設定器による各部の設定速度信号を入力させる際、少なくとも背凭れ部にあっては、前記速度設定器で、起き回動速度を通常の回動速度より速く設定したことを特徴とする治療用椅子にある。
　本発明のさらに別の一つは、台座部、背凭れ部、脚部が初期状態から治療状態にかけて上下動ないし回動する治療用椅子であって、前記各部を上下動ないし回動させる駆動源の駆動速度を検出する速度検出器と、前記駆動源の駆動速度を制御する速度制御部と、前記各部の上下動ないし回動速度を設定する速度設定器と、該設定器により設定された各部の上下動ないし回動速度を記憶する速度記憶部と、各部の上下動ないし回動の初期または終期において速度を下降させるスロースタート、スローダウン設定器と、該スロースタート、スローダウン設定器により設定された各部のスロースタート速度およびスローダウン速度を記憶するスロースタート、スローダウン記憶部と、該スロースタート、スローダウン記憶部の設定信号が入力されるスロースタート、スローダウン制御部とを備え、前記速度検出器からの検出速度信号が入力させる、前記速度制御部に、速度記憶部を介して速度設定器による各部の設定速度信号を入力させると共に、前記スロースタート、スローダウン制御部およびスロースタート、スローダウン記憶部を介して前記スロースタート、スローダウン設定器による各部のスロースタート速度およびスローダウン速度を入力させる際、少なくとも背凭れ部にあっては、前記速度設定器で、起き回動速度を通常の回動速度より速く設定し、かつ起き回動速度および寝回動速度の初期または終期において速度を下降させるスロースタート速度およびスローダウン速度を設定したことを特徴とする治療用椅子にある。
　【作用】
　このように本発明では、少なくとも背凭れ部の起き回動速度
を、速度検出器、速度設定器、速度記憶部及び速度制御部の働きにより、
　【実施例】
　第１図は本発明に係る治療椅子の一実施例を示したものである。
　同図において、１は椅子本体、２はこの椅子本体上部の台座部、３は背凭れ部、４は脚部、５は頭部、６はスピットン部、７は立設スタンド、８はこのスタンド７から吊られたテーブル、９はこのテーブル８の一部に設置されたコントロールパネル部、１０はスタンド７に装着された無影灯、１１はフットコントロール部である。
　上記背凭れ部３は、軸ピン３１に軸着され、そのアングル型（Ｌ型）の先端３２とモータなどの駆動源３３の駆動により進退する中間ロッド３４とは軸ピン３５によりリンク機構を構成している。したがって、この駆動源３３を駆動させて中間ロッド３４を伸長させれば、背凭れ部３は軸ピン３１を中心にして迅速に起き上がる。一方、駆動源３３を駆動させて逆に中間ロッド３４を伸縮させれば、背凭れ部３は軸ピン３１を中心にして寝る（倒れる）。
　なお、ここで、中間ロッド３４の伸長および伸縮は、例えば駆動源３３のネジシャフトと中間ロッド３４の筒内に設けた雌ネジとの嵌合関係により行う。この駆動源３３が油圧装置などの場合には、中間ロッド３４を直接ピストンロッドで代えることもできる。
　また、脚部４の回動は、独立の駆動源により動かしてもよいが、この背凭れ部３の駆動源３３から、カム機構（図示省略）などを介して連動させて回動させるようにしてもよい。一方、台座部２の上下動（上下動機構と従来と同様）も、この背凭れ部３の駆動源３３により行ってもよいが、椅子本体１内に内蔵した別の独立したモータなどの駆動源３３ａにより行うことができる、
　次に、この治療椅子の制御装置系の一実施例を示すと、第２図の如くである。
　同図において、４１は上記各部（台座部２、背凭れ部３、脚部４）を上下動ないし回動させる駆動源３３，３３ａの駆動速度を検出する速度検出器、４２は駆動源３３，３３ａの駆動速度を制御する速度制御部、４３は各部の上下動ないし回動速度を設定する速度設定器、４４は速度設定器４３により設定された各部の上下動ないし回動速度を記憶する速度記憶部、４５は各部の上下動ないし回動の初期（スタート時）または終期（ダウン時）において速度を下降させる（小さくする）スロースタート、スローダウン設定器、４６はスロースタート、スローダウン設定器４５により設定された各部のスロースタート速度およびスローダウン速度を記憶するスロースタート、スローダウン記憶部、４７はスロースタート、スローダウン記憶部４６の設定信号が入力されるスロースタート、スローダウン制御部である。
　この制御装置系によると、例えば背凭れ部３を例にとると、第３図に示した如く、背凭れ部３のバラエテーに富んだ寝起き回動を制御することができる。
　先ず、図示のように速度設定器４３により、背凭れ部３の起き回動速度ｖ１を速め（例えば患者に待ちを感じさせない速度）に設定し、寝回動速度ｖ２は通常の速度（あるいは、後述するスロースタート、スローダウンの設定により、通常により速めの速度）に設定する（ｖ１＞ｖ２）。さらに、スロースタート、スローダウン設定器４５により、背凭れ部３の起き回動速度ｖ１の初期または終期において速度を下降させるスロースタート速度ｖ１ｓ、スローダウン速度ｖ１ｄ、および背凭れ部３の寝回動速度ｖ２の初期または終期において速度を下降させるスロースタート速度ｖ２ｓ、スローダウン速度ｖ２ｄを設定する。
　したがって、この制御装置系では、速度検出器４１から、実測の検出速度信号が速度制御部４２に入力されると同時に、速度記憶部４４およびスロースタート、スローダウン記憶部４６から、上記のように設定された各速度ｖ１、ｖ１ｓ、ｖ１ｄ、ｖ２、ｖ２ｓ、ｖ２ｄが入力されるため、背凭れ部３の起き時には、スロースタートし、迅速に起き上がった後、スローダウンする。背凭れ部３の寝時にも、スロースタートし、通常の速度（あるいは速めの速度）で寝せた後、スローダウンする。
　このため、実際の治療態様に上手く適合した優れた使い勝手が得られる。もちろん、スピーディな治療も期待できる。
　なお、これらの操作は、上述したテーブル８のコントロールパネル部９の操作スイッチや、フットコントロール部１１のフットスイッチにより行えばよい。
　この制御装置系によると、台座部２も、第４図に示した如く、上記背凭れ部３と同様、バラエテーに富んだ上下動を制御することができる。
　つまり、速度設定器４３により、
台座部
台座部
台座部
　したがって、やはり、この制御装置系では、速度検出器４１から、実測の検出速度信号が速度制御部４２に入力されると同時に、速度記憶部４４およびスロースタート、スローダウン記憶部４６から、上記のように設定された各速度ｖ３、ｖ３ｓ、ｖ３ｄ、ｖ４、ｖ４ｓ、ｖ４ｄが入力されるため、
台座部
台座部
　このため、上記背凭れ部３と同様、実際の治療態様に上手く適合した優れた使い勝手が得られる。もちろん、スピーディな治療も期待できる。
　なお、本発明では、各速度（ｖ１、ｖ１ｓ、ｖ１ｄ、ｖ２、ｖ２ｓ、ｖ２ｄ、ｖ３、ｖ３ｓ、ｖ３ｄ、ｖ４、ｖ４ｓ、ｖ４ｄ）は、上記実施例に限定されず、任意に設定することができる。
　また、各部（台座部２、背凭れ部３、脚部４）の上下動ないし回動は、上述した第２図のような制御装置系だけでの制御のみでなく、単なる切換スイッチの操作により行うことも可能である。特に、背凭れ部３や台座部２にあっては、例えば従来の通常の制御装置系に別系統として、迅速な起き専用、あるいは急速な下降専用のスイッチ系統を組み合わせ、これらのスイッチ系統を優先動作させるようにすることもできる。
　【発明の効果】
　以上の説明から明らかなように、本発明に係る治療用椅子によれば、次のような優れた効果が得られる。
　（１）．少なくとも背凭れ部の起き回動速度を
、速度検出器、速度設定器、速度記憶部及び速度制御部の働きにより、
　（２）．同様にして、台座部の下降速度を通常の下降速度より速くできるため、やはり患者が待ちを感ずることなく、台座部から安全かつ迅速に降りることができる。この結果、やはり優れた使い勝手が得られ、また、治療時間の短縮にもなる。
　（３）．つまり、各部（台座部、背凭れ部、脚部）を上下動ないし回動速度を、治療態様に適合した極め細かい速度として、任意に設定し、調整することができる。
　（４）．さらに、この各部の上下動ないし回動速度の任意設定と、各動作の初期（スタート時）または終期（ダウン時）において速度を下降させるスロースタート速度およびスローダウン速度をやはり任意設定して、組み合わせることができるため、動作のスピードアップを図っても、患者に驚きや不安感を与えることのない、優れた機能が得られる。
【図面の簡単な説明】
　第１図は本発明に係る治療用椅子の一実施例を示した概略説明図、第２図は第１図の治療用椅子を制御する制御装置系を示したブロック図、第３図〜第４図は第１図の治療用椅子における背凭れ部および台座部の動作状態を示した各説明図である。
　図中、
　１・・・・・椅子本体、
　２・・・・・台座部、
　３・・・・・背凭れ部、
　４・・・・・脚部、
　９・・・・・コントロールパネル部、
　１１・・・・フットコントロール部、
　３１・・・・軸ピン３１、
　３３・・・・駆動源、
　３３ａ・・・駆動源、
　４１・・・・速度検出器、
　４２・・・・速度制御部、
　４３・・・・速度設定器、
　４４・・・・速度記憶部、
　４５・・・・スロースタート、スローダウン設定器、
　４６・・・・スロースタート、スローダウン記憶部、
　４７・・・・スロースタート、スローダウン制御部、